(57)【要約】  受信データ・フレームのＭＣＳに基づいてワイヤレス・ローカル・エリア・ネットワーク中の制御応答パケットのために変調・符号化方式（ＭＣＳ）を決定するワイヤレス通信システム、装置、および、方法の実施例がここに一般的に説明される。他の実施例も説明されクレームされる。
2009544186.tif 000002
【特許請求の範囲】
【請求項１】
ワイヤレス通信局において、
複数の空間ストリーム（Ｎｓｓ）によって送られたフレームを受信するための物理（ＰＨＹ）層回路と、
前記受信したフレームのＮｓｓを基本変調・符号化方式（ＭＣＳ）のセットのＮｓｓと比較し、受信したフレームのＮｓｓ、変調レベル、および、符号化率の１またはそれ以上に基づいて、制御応答フレームを送信する際に使用するための基本ＭＣＳのセットから基本ＭＣＳを選択する媒体アクセス制御（ＭＡＣ）回路であって、前記選択された基本ＭＣＳは、受信したフレームを送信するワイヤレス装置によって予測可能である、媒体アクセス制御（ＭＡＣ）回路と、
を含むことを特徴とするワイヤレス通信局。
【請求項２】
前記受信したフレームは、ＭＩＭＯフレームであることを特徴とする請求項１記載のワイヤレス通信局。
【請求項３】
前記ＭＡＣ層回路は、前記受信したフレームのＮｓｓに等しいかあるいは小さいＮｓｓを有する基本ＭＣＳのセットから前記基本ＭＣＳを選択することを特徴とする請求項１記載のワイヤレス通信局。
【請求項４】
前記ＭＡＣ層回路は、前記受信したフレームの前記変調レベルおよび符号化率を前記基本ＭＣＳのセット中の変調レベルおよび符号化率と比較することを特徴とする請求項１記載のワイヤレス通信局。
【請求項５】
前記ＭＡＣ層回路は、前記受信したフレームのＮｓｓ、変調レベル、および、符号化率の１またはそれ以上に基づいて、リファレンスＭＣＳを決定することを特徴とする請求項１記載のワイヤレス通信局。
【請求項６】
前記ＭＡＣ層回路は、前記リファレンスＭＣＳに関連したＭＣＳインデックスに基づいて前記制御応答フレームを送信する際に使用するための前記基本ＭＣＳのセットから基本ＭＣＳを選択することを特徴とする請求項５記載のワイヤレス通信局。
【請求項７】
前記制御応答フレームを送信する際に使用するために前記基本ＭＣＳのセットから前記ＭＡＣ層回路によって選択された前記基本ＭＣＳは、他のワイヤレス装置によって予測可能であることを特徴とする請求項１記載のワイヤレス通信局。
【請求項８】
ワイヤレス・フレームを送信装置から送信する段階であって、前記ワイヤレス・フレームは、複数の空間ストリーム（Ｎｓｓ）および変調・符号化方式（ＭＣＳ）を有する、段階と、
前記ワイヤレス・フレームのＮｓｓを１またはそれ以上のＭＣＳのセットのＮｓｓと比較する段階と、
前記ワイヤレス・フレームのＭＣＳに基づいてリファレンスＭＣＳを計算する段階であって、前記リファレンスＭＣＳは、リファレンスＭＣＳインデックスを有する、段階と、
前記リファレンスＭＣＳインデックスが基本ＭＣＳインデックスと等しいかどうかを決定する段階と、
前記リファレンスＭＣＳインデックスが基本ＭＣＳインデックスと等しい場合に、受信装置によって制御フレームに使用される前記ＭＣＳを予測するために、前記リファレンスＭＣＳを使用する段階と、
を含むことを特徴とする方法。
【請求項９】
前記リファレンスＭＣＳインデックスが前記基本ＭＣＳのセット中のいずれの基本ＭＣＳインデックスより大きい場合、受信装置によって制御フレームに使用される前記ＭＣＳを予測するために、前記リファレンスＭＣＳインデックスより小さいインデックスを有する選択された基本ＭＣＳを使用する段階をさらに含むことを特徴とする請求項８記載の方法。
【請求項１０】
前記選択された基本ＭＣＳは、前記基本ＭＣＳのセットのうちで前記リファレンス・インデックスに最も近いインデックスを有することを特徴とする請求項９記載の方法。
【請求項１１】
前記リファレンスＭＣＳを計算する段階は、前記ワイヤレス・フレームのＭＣＳの変調レベルおよび符号化率を前記基本ＭＣＳのセット中の変調レベルおよび符号化率と比較する段階を含むことを特徴とする請求項８記載の方法。
【請求項１２】
前記基本ＭＳＣのセットと比較するために用いられる前記ワイヤレス・フレームのＭＣＳの前記変調レベルは、前記ワイヤレス・フレームのＭＣＳが不均一変調を使用する場合、最低の変調レベルであることを特徴とする請求項１１記載の方法。
【請求項１３】
前記基本ＭＳＣのセットと比較するために用いられる前記ワイヤレス・フレームのＭＣＳの前記変調レベルは、前記ワイヤレス・フレームのＭＣＳおよび前記基本ＭＣＳのセット双方が不均一変調を使用する場合、最高の変調レベルであることを特徴とする請求項１１記載の方法。
【請求項１４】
受信装置によって制御フレームに使用される予測されたＭＣＳに基づいてフレーム・デュレーションを決定する段階をさらに含むことを特徴とする請求項８記載の方法。
【請求項１５】
ワイヤレス通信システムにおいて、
ほぼ無指向性の複数のアンテナと、
前記アンテナに結合され、複数の空間ストリームを有する高スループットのデータ・フレームを送信する第１の回路と、
前記第１の回路に結合され、前記高スループットのデータ・フレームの複数の空間ストリーム、変調レベル、および、符号化率に基づいて、制御フレーム送信のために受信装置によって使用される基本ＭＣＳを予測する第２の回路と、
を含むことを特徴とするワイヤレス通信システム。
【請求項１６】
前記第２の回路は、デュレーション／ＩＤフィールドのためのフレーム期間を計算するために前記予測された基本ＭＣＳを使用することを特徴とする請求項１５記載のワイヤレス通信システム。
【請求項１７】
前記第２の回路は、前記高スループットのデータ・フレームの空間ストリーム数に等しいか小さい空間ストリーム中の最も高い数を具備する基本ＭＣＳのセットから前記基本ＭＣＳを選択することにより、前記基本ＭＣＳを予測することを特徴とする請求項１５記載のワイヤレス通信システム。
【請求項１８】
前記第２の回路は、前記高スループットのデータ・フレームの空間ストリーム数、変調レベル、および、符号化率に基づいてリファレンスＭＣＳインデックスを決定し、前記リファレンスＭＣＳインデックスに基づいて前記予測された基本ＭＣＳを決定することを特徴とする請求項１７記載のワイヤレス通信システム。
【請求項１９】
前記無指向性アンテナは、マルチ入力マルチ出力（ＭＩＭＯ）アンテナであることを特徴とする請求項１５記載のワイヤレス通信システム。
【請求項２０】
前記無指向性アンテナを通して送信されかつ受信される信号を組み合わせ、重み付けを行なうビームフォーマをさらに含むこと特徴とする請求項１５記載のワイヤレス通信システム。
【発明の詳細な説明】
【技術分野】
【０００１】
本発明のいくつかの実施例は、ワイヤレス通信システムに関する。いくつかの実施例は、ワイヤレス・ローカル・エリア・ネットワーク（ＷＬＡＮ）に関する。いくつかの実施例は、マルチ入力マルチ出力（ＭＩＭＯ）の伝送に関する。
【背景技術】
【０００２】
本特許出願は、２００６年７月１２日に出願され、米国３５Ｕ．Ｓ．Ｃ．セクション１１９（ｅ）に基づいて米国仮特許出願シリアル番号６０／８０７，１７０に対する優先権の利益を求め、その出願は関連としてここに編入される。
【０００３】
高スループットのワイヤレス通信ローカル・エリア・ネットワーク（ＷＬＡＮ）は、１を越えるアンテナを使用して、１を越える空間データ・ストリームを送信する。受信局は、確認応答フレームあるいは他の制御応答フレームを送信局へ返信する必要があるが、しかしながら、送信局は、送信フレームのデュレーション（Ｄｕｒａｔｉｏｎ）／ＩＤフィールド、および、確認応答フレームに使用された変調・符号化方式の内容を計算する困難性を有することがある。
【図面の簡単な説明】
【０００４】
【図１】いくつかの実施例に従う送信スケジュールを示す。
【０００５】
【図２】いくつかの実施例に従う変調・符号化方式（ＭＣＳ：Ｍｏｄｕｌａｔｉｏｎ  ａｎｄ  Ｃｏｄｉｎｇ  Ｓｃｈｅｍｅ）を計算するための手順を示すフローチャートである。
【０００６】
【図３】いくつかの実施例に従って、リファレンスＭＣＳインデックスを計算するための手順を示すより詳細なフローチャートである。
【０００７】
【図４】いくつかの実施例に従うワイヤレス通信局を示す。
【発明を実施するための形態】
【０００８】
以下の説明および図面は、当業者が本発明を実施することを可能にするために本発明の特定の実施例を十分に示す。他の実施例は、構造上の、論理的な、電気的な、プロセス的な、あるいは他の変更を含む。例示は、単に可能なバリエーションを代表する。個々のコンポーネントおよび機能は、明示的な要求がない限り選択的であり、また、動作シーケンスは、変化する。いくつかの実施例の一部分および特徴は、他の実施例中に含められてもよく、あるいは取り換えられてもよい。請求項に定義された本発明の実施例は、これらの請求項の可能な均等物をすべて包含する。本発明の実施例は、単に便宜のために、および、１を超える発明が実際に開示されている場合でも本発明の範囲をいずれか単一の発明あるいは発明概念へ制限する意図はなく、「発明」という用語で個別にあるいは集合的に捉えられる。
【０００９】
図１は、本発明のいくつかの実施例に従う送信スケジュール１００を示す。送信スケジュール１００は、データを含む送信フレーム１０２、制御応答フレーム１０４、短フレーム間隔（ＳＩＦＳ）１０６、および、デュレーション／ＩＤフィールド１０８を含む。
【００１０】
送信中のワイヤレス装置は、送信フレーム１０２内でデータを送信する。そのデータは、様々な実施例に従って、高スループット（ＨＴ）のＰＨＹプロトコル・データ・ユニット（ＰＰＤＵ）の形式をとる。受信ワイヤレス装置によって受け取られると、その受信ワイヤレス装置は、制御応答フレーム１０４で応答する。制御応答フレーム１０４は、確認応答（ＡＣＫ）フレーム、受信準備完了（ＣＴＳ）フレーム、あるいは他の応答であってもよい。制御応答フレーム１０４は、ＨＴ
ＰＰＤＵであってもよい。
【００１１】
ネットワーク・アローケーション・ベクトル（ＮＡＶ）の保護の下で、最初のデータが送信フレーム１０２中で送信された後、制御応答フレーム１０４は、デュレーション１０８内に送信中のワイヤレス装置へ送られる。送信フレーム１０２のデータ送信終了時と制御応答フレーム１０４の応答開始時との間の時間量は、ＳＩＦＳ１０６である。ＳＩＦＳ１０６のサイズは一定である。送信中のワイヤレス装置がデュレーション１０８を知るかあるいは計算し、送信フレーム１０２中のデュレーション／ＩＤフィールドをその計算された値に主張することにより制御応答フレーム１０４を保護することができることは有用である。
【００１２】
本発明のいくつかの実施例は、制御応答フレームを送信するための速度の計算に関連する。いくつかの実施例は、入来データ送信フレーム１０２に応答するために使用される制御応答フレーム１０４を送信するための基本速度の計算が可能である。本発明のいくつかの実施例によって、ワイヤレス装置は、デュレーション１０８あるいは送信フレーム１０２中のデュレーション／ＩＤフィールドの内容を計算することが可能である。これらの実施例では、受信中のワイヤレス装置は、予測可能なＭＣＳを使用して、その制御応答フレーム１０４を送信する。いくつかの実施例では、その送信は、２０および４０ＭＨｚチャネルのマルチ入力マルチ出力（ＭＩＭＯ）送信を含むが、本発明の範囲はこの点に制限されることはない。
【００１３】
いくつかの従来のシステム、例えば、以下参照されるＩＥＥＥ８０２．１１仕様のＴＧｎ公開部会に関連するシステムの１つの問題は、ＭＩＭＯやＨＴチャネルのような特徴がより高速な速度を許容するということである。送信フレーム１０２中のデータを伝送する高スループット（ＨＴ）のＰＨＹプロトコル・データ・ユニット（ＰＰＤＵ）は、サポートされたＭＣＳセット内の任意のＭＣＳで送られる。送信中のワイヤレス装置がデュレーション／ＩＤフィールド１０８の内容を計算することができるために、その応答を伝送するＨＴ ＰＰＤＵは、予測可能なＭＣＳで受信局によって送信されるべきである。このＭＣＳは、ＷＬＡＮ局が送信および受信することができるであろう基本ＭＣＳセットのうちの１つである。この問題の解決を支援するために、本発明のいくつかの実施例は、送信フレーム１０２のＭＣＳに関連する基本ＭＣＳのうちの１つを選択する。
【００１４】
図２は、いくつかの実施例に従うＭＣＳを計算するための手順２００を示すフローチャートである。手順２００は、ワイヤレス装置がフレームを受け取り、その受信フレームのＭＣＳを一群のＭＣＳと比較することから始まる（ブロック２０２）。一群のＭＣＳは、様々な実施例に従う特定の通信仕様に関連する。比較のために使用される特定の一群のＭＣＳは、受信フレームが特定のアクセス・ポイントあるいは基本サービス・セット（ＢＳＳ：Ｂａｓｉｃ  Ｓｅｒｖｉｃｅ  Ｓｅｔ）に関連したＭＣＳセットのＮｓｓと等しいＮｓｓを有しているかどうかに基づいて決定される（２０４）。この一群のＭＣＳは、特定のＮｓｓに対しフルＭＣＳセットと称される。
【００１５】
受信フレームのＮｓｓがＭＣＳセットの１つのＮｓｓと等しい場合、その時、受信フレームのＭＣＳインデックスは、リファレンスＭＣＳインデックスとして使用される（ブロック２０６）。ＭＣＳインデックスは、送信用の特定のＭＣＳを識別するために使用される識別子である。ＭＣＳは、１又はそれ以上の変調レベル、符号化率、データ速度、および他の特性を含む。一旦リファレンスＭＣＳインデックスが決定されると、リファレンスＭＣＳインデックスは、受信フレームと同じＮｓｓを有すると判断された基本ＭＣＳセット内の基本ＭＣＳインデックスと比較される（ブロック２０８）。基本ＭＣＳセットは、特定のＮｓｓに関連した１群のＭＣＳのサブセットである。基本ＭＣＳセットはＢＳＳによって決定される。その比較は、基本ＭＣＳセットがリファレンスＭＣＳインデックスに等しいかより小さい基本ＭＣＳインデックスを含むかどうか決定することを内包する（ブロック２１０）。リファレンスＭＣＳインデックスに等しいかより小さい最高の基本ＭＣＳインデックスは、制御応答フレームを送信するためのＭＣＳとして使用するために選択される（ブロック２１２）。
【００１６】
受信フレームのＮｓｓに等しいＮｓｓを具備するＭＣＳがないか、あるいはリファレンスＭＣＳインデックスに等しいかより小さい基本ＭＣＳインデックスがない場合、その場合、異なるリファレンスＭＣＳインデックスが計算される。最初に、受信フレームのＮｓｓより小さい最高のＮｓｓを有するフルＭＣＳセットが利用可能なＭＣＳセットから選択される（ブロック２１４）。その後、リファレンスＭＣＳインデックスが選択されたフルＭＣＳセットを使用して計算される（ブロック２１６）。上述のように、一旦リファレンスＭＣＳインデックスが決定されると、それは基本ＭＣＳセット中の基本ＭＣＳインデックスと比較される（ブロック２０８）。一旦リファレンスＭＣＳインデックスに等しいかより小さい最高の基本ＭＣＳインデックスが基本ＭＣＳセット内に見つかれば（ブロック２１０）、それは制御応答フレームの送信のために使用される（ブロック２１２）。
【００１７】
図３は、いくつかの実施例に従って、リファレンスＭＣＳインデックスを計算するための手順３００を示すより詳細なフローチャートである。手順３００は、図２におけるブロック２１６のより詳細な手順を表わす。手順３００は、受信した送信フレームに関連した変調レベルおよび符号化率を決定することから始まる（ブロック３０２）。決定は、受信フレームが均一変調（ｅｑｕａｌ  ｍｏｄｕｌａｔｉｏｎ）を使用しているかあるいは不均一変調（ｕｎｅｑｕａｌ  ｍｏｄｕｌａｔｉｏｎ）を使用しているかどうかに関してなされる（ブロック３０４）。不均一変調が使用されている場合、最低の変調レベルが将来の計算で使用するために決定される（ブロック３１０）。
【００１８】
変調レベルは、均一変調フレーム中の変調レベルであるかあるいは不均一変調フレーム中の最低の変調レベルのいずれかであるが、符号化率と結合されて、特定のＮｓｓに対するフルＭＣＳセット中の変調および符号化率と比較される。フルＭＣＳセットは、多くのＭＣＳおよび関連するインデックスを含む。１組の基本ＭＣＳインデックスが図２に関して説明されるように決定される。受信フレーム中に同じ変調レベルおよび符号化率を有するＭＣＳインデックスは、リファレンスＭＣＳインデックスとして使用するために選択される。
【００１９】
上記説明は、基本ＭＣＳセットが様々な実施例に従って均一変調を備えた基本ＭＣＳだけを含むと仮定する。ＢＳＳが不均一変調を使用するＭＣＳセットを含む場合、不均一変調を備えた受信フレームから使用される変調レベルは、最高の変調レベルとなる。後続の計算および比較は、上述と同じである。
【００２０】
図４は、いくつかの実施例に従うワイヤレス通信局（ＳＴＡ）４００を示す。ＳＴＡ４００は、ワイヤレス装置とも呼ばれるが、物理（ＰＨＹ）層回路４０２、媒体アクセス制御（ＭＡＣ）層回路４０４、および、アンテナ４０６を含む。
【００２１】
ＳＴＡ４００は、アンテナ４０６でワイヤレス信号を受信する。そのワイヤレス信号は、データ・フレームを具備する。ＰＨＹ層回路４０２は、その信号を受け取り、ＭＡＣ層回路４０４への配送用データ・フレームへ符号化する。
【００２２】
その後、ＭＡＣ層回路４０４は、データ・フレームのＮｓｓをＢＳＳに関連したＭＣＳセットのＮｓｓと比較する。基本ＭＣＳセットから、制御応答フレームを送信する際に使用するための基本ＭＣＳが選択される。１またはそれ以上のＮｓｓ、変調レベル、および、受信フレームの符号化率は、制御応答フレームの送信のために使用される特定の基本ＭＣＳを決定するために使用される。使用するための適切な基本ＭＣＳの決定を助けるためにリファレンスＭＣＳを上記のように計算する必要がある。その後、制御応答フレームは、ＰＨＹ層回路４０２を通してルートされ、信号に変換され、アンテナ４０６を介して送信される。
【００２３】
様々な実施例によれば、ＳＴＡ４００は、また、ＰＨＹ層回路４０２およびアンテナ４０６と連絡するビームフォーマを含み、アンテナ４０６を通して送信または受信される信号を結合しおよび／またはウエイト（重み付け）を加える。加えて、アンテナ４０６は、１またはそれ以上の指向性あるいは無指向性アンテナからなり、例えば、ダイポール・アンテナ、モノポール・アンテナ、パッチ・アンテナ、ループ・アンテナ、マイクロストリップ・アンテナ、あるいはＲＦ信号の送信に適した他のタイプのアンテナを含む。あるマルチ入力マルチ出力（ＭＩＭＯ）実施例では、２またはそれ以上のアンテナが使用されてもよい。いくつかの実施例によれば、２またはそれ以上のアンテナの代わりに、多くの開口を備えた単一のアンテナが使用されてもよい。これらの実施例では、各開口は、個別のアンテナと考えられてもよい。加えて、他の実施例に従えば、各アンテナは、空間ダイバーシチ、および、各アンテナ４０６と他のワイヤレス通信装置との間に生じる異なるチャネル特性を利用するために効果的に分離される。いくつかの実施例では、アンテナ４０６は、波長の１／１０あるいはそれ以上にまで分離される。
【００２４】
ＳＴＡ４００は、いくつかの個別の機能要素として図示されているが、１またはそれ以上の機能要素は組み合わせてもよく、デジタル信号プロセサ（ＤＳＰ）のようなソフトウェアが構成された要素、および／または、他のハードウェア要素を組み合わせて実装されてもよい。例えば、いくつかの要素は、１またはそれ以上のマイクロプロセッサ、ＤＳＰ、特定用途向けＩＣ（ＡＳＩＣ）、および、少なくともここに説明された機能を実行するための様々なハードウェアおよび論理回路の組合せを含む。いくつかの実施例では、ＳＴＡ４００の機能要素は、１またはそれ以上の処理要素上で動作する１またはそれ以上のプロセスに関連する。
【００２５】
いくつかの実施例では、ＳＴＡ４００は、マルチキャリヤ通信チャネル上で直交周波数分割多重（ＯＦＤＭ）通信信号を通信する。マルチキャリヤ通信チャネルは、所定の周波数スペクトル内にあり、複数の直交サブキャリアを含む。いくつかの実施例では、そのマルチキャリヤ信号は、近接した間隔で配置されたＯＦＤＭサブキャリアによって定義される。各サブキャリアは、他のサブキャリアのほぼ中心周波数でヌル点を有し、および／または、各サブキャリアは、シンボル期間内に整数のサイクルを有するが、本発明の範囲はこの点に制限されることはない。他の実施例では、ＳＴＡ４００は、直交周波数分割多元接続（ＯＦＤＭＡ）のような多元接続技術に従って通信するが、本発明の範囲はこの点に制限されることはない。いくつかの実施例では、ＳＴＡ４００は、スペクトル拡散信号を使用して通信するワイヤレス通信装置の一部であるが、本発明の範囲はこの点に制限されることはない。
【００２６】
いくつかの実施例では、ＳＴＡ４００は、ワイヤレス・フィデリティ（ＷｉＦｉ）通信局のようなワイヤレス・ローカル・エリア・ネットワーク（ＷＬＡＮ）通信局、アクセス・ポイント（ＡＰ）、あるいはＷＬＡＮ移動局（ＭＳ）である。他のいくつかの実施例では、通信局１００は、ワイマックス（ＷｉＭａｘ）通信局のような広帯域ワイヤレス・アクセス（ＢＷＡ）ネットワーク通信局の一部であるが、本発明の範囲は、ＳＴＡ４００がほぼあらゆるワイヤレス通信装置の一部である点に関して制限されることはない。
【００２７】
様々な実施例に従えば、ＳＴＡ４００は、携帯情報端末（ＰＤＡ）、ワイヤレス通信能力を備えたラップトップあるいはポータブル・コンピュータ、ウェブ・タブレット、ワイヤレス電話、ワイヤレス・ヘッドセット、ページャ、インスタント・メッセージ装置、デジタル・カメラ、アクセス・ポイント、テレビ、医療機器（例えば、心拍数モニタ、血圧モニタなど）、あるいは情報をワイヤレスに受け取りおよび／または送ることのできる装置のようなポータブル・ワイヤレス通信装置の一部ある。
【００２８】
いくつかの実施例に従えば、ＳＴＡ４００は、データ伝送を受け取る装置、あるいは、他の実施例に従ってデータ伝送を行なう装置である。データ伝送を行なうＳＴＡ４００は、図２および図３に関して上述された手順を実行する。データ伝送を行なうＳＴＡ４００は、制御応答フレームを送るための受信装置によって使用される基本ＭＣＳを予測するために、そのデータ伝送および関連するＭＣＳを分析する。送信装置および受信装置において同じ手順を使用することによって、送信装置は、受信装置でその制御応答フレームに使用されている基本ＭＣＳを予測することができる。これによって、デュレーション／ＩＤフィールド中に適切に計算されたデュレーションを有するように送信されたデータ・フレームは、受信装置からの制御応答フレームを扱うことができる。
【００２９】
いくつかの実施例では、ＳＴＡ４００によって使用される周波数スペクトルは、５ギガヘルツ（ＧＨｚ）の周波数スペクトルあるいは２．４ＧＨｚの周波数スペクトルのいずれかからなる。これらの実施例では、５ギガヘルツ（ＧＨｚ）の周波数スペクトルは、およそ４．９〜５．９ＧＨｚに及ぶ周波数を含み、また、２．４ＧＨｚのスペクトルは、およそ２．３〜２．５ＧＨｚに及ぶ周波数を含み、他の周波数スペクトルがまた等しく適切であるが、本発明の範囲はこの点に制限されることはない。
【００３０】
いくつかの実施例では、ＳＴＡ４００は、電気電子学会（ＩＥＥＥ）規格のような特定の通信規格に従って信号を受信するが、その規格は、例えばＩＥＥＥ８０２．１１（ａ）、８０２．１１（ｂ）、８０２．１１（ｇ）、８０２．１１（ｈ）および／または８０２．１１（ｎ）規格、および／または、提案中のワイヤレス・ローカル・エリア・ネットワーク規格を含み、ＭＩＭＯ  ＷＬＡＮ通信のためのＩＥＥＥ８０２．１１ｎ規格を提案したタスク・グループＮ（ＴＧｎ）のドラフトに従う技術を含んでおり、本発明の範囲はこの点に制限されることはなく、それらは他の技術および規格に従って通信を送信しおよび／または受信するのに適している。いくつかの広帯域ワイヤレス・アクセス・ネットワークの実施例では、ＳＴＡ  ４００は、ワイヤレス都市域ネットワーク（ＷＭＡＮ）およびその変形および発展形を含むＩＥＥＥ８０２．１６−２００４およびＩＥＥＥ８０２．１６（ｅ）規格に従う信号を受信することができるが、本発明の範囲はこの点に制限されることはなく、それらはまた他の技術および規格に従う通信を送信しおよび／または受信するのに適している。ＩＥＥＥ８０２．１１およびＩＥＥＥ  ８０２．１６標準に関するさらなる情報として、"IEEE Standards for Information Technology Telecommunications and Information Exchange between Systems" - Local Area Networks - Specific Requirements - Part 11 "Wireless LAN Medium Access Control (MAC) and Physical Layer (PHY), ISO/IEC 8802-11: 1999", and Metropolitan Area Networks - Specific Requirements - Part 16: "Air Interface for Fixed Broadband Wireless Access Systems," May 2005, "IEEE P802.11nTM/D2.00 Draft STANDARD for Information Technology-Telecommunications and information exchange between systems- Local and metropolitan area networks-Specific requirements- Part 11: Wireless LAN Medium Access Control(MAC) and Physical Layer (PHY) specifications: Amendment: Enhancements for Higher Throughput" February 2007、および関連する補正／バージョンを参照すること。いくつかの実施例は、ＩＥＥＥ８０２．１１ＷＬＡＮ仕様に提案された強化ＩＥＥＥ８０２．１１ｅに関するもので、データ、音声およびビデオ送信の優先順位を含むＱｏＳ（quality
of service）の特徴を含む。
【００３１】
実施例によれば、送信ワイヤレス装置は、データ・フレームを含む信号を送信する。そのデータ・フレームのＭＣＳは、下の表１によって説明される。
【表１】
2009544186.tif 000003
【００３２】
この場合、データ・フレームは、１６−ＱＡＭの変調レベルおよび３／４の符号化率を有する。この例のデータ・フレームに対するＮｓｓは４となるであろう。ＢＳＳが多くのＭＣＳセットを使用する場合、その最も高いものはＮｓｓ＝２であるが、Ｎｓｓ＝２を有するＭＣＳは、リファレンスＭＣＳインデックスの計算に使用されてもよい。Ｎｓｓ＝２を有するフルＭＣＳ中のＭＣＳインデックスは、表２において説明される。
【表２】
2009544186.tif 000004
【００３３】
図２および図３に関して上述された手順で使用するリファレンスＭＣＳインデックスを計算するために、送信されたデータ・フレームの変調レベルおよび符号化率は、ＭＣＳセット中のインデックスと比較される。ＭＣＳインデックス１２は、データ・フレームと同じ変調レベルおよび符号化率、すなわち１６−ＱＡＭおよび３／４を有する。このＭＣＳインデックスは、リファレンスＭＣＳインデックスとして使用されてもよい。
【００３４】
その後、１２のリファレンスＭＣＳインデックスは、ＢＳＳと関連した同じＮｓｓの基本ＭＣＳセットにあるこれらのＭＣＳインデックスと比較される。この場合、表２の右端の欄は、どのＭＣＳインデックスが基本ＭＣＳセットにあるかを示す。ＭＣＳインデックス１２は、この例では基本ＭＣＳセットにはない。制御応答フレーム送信に使用するための基本ＭＣＳを決定するために、基本ＭＣＳセットにある次のより小さいＭＣＳインデックスを使用してもよい。ＭＣＳインデックス１１が次のより小さいインデックス値である。したがって、Ｎｓｓ＝２、１６−ＱＡＭ変調、１／２の符号化率、および５２．０Ｍｂ／ｓのデータ速度が通信される制御応答フレームに適用される特性である。
【００３５】
別の実施例によれば、送信ワイヤレス装置は、不均一変調を使用するデータ・フレームを含む信号を送信する。そのデータ・フレームのＭＣＳは、下記表３で説明される。
【表３】
2009544186.tif 000005
【００３６】
この場合、データ・フレームは、Ｎｓｓ＝３を有し、これら３つのストリームのうち、１つは６４−ＱＡＭで変調され、残り２つは１６−ＱＡＭで変調される。この例において、ＢＳＳがＮｓｓ＝３の基本ＭＣＳを有していない場合、Ｎｓｓ＝２のＭＣＳは（表２中のように）、リファレンスＭＣＳインデックスおよび基本ＭＣＳの計算に使用されてもよい。ＭＣＳインデックス４３は、表２によって表わされるフルＭＣＳセットにないので、リファレンスＭＣＳが計算される。データ・フレームが不均一変調を使用するので、リファレンスＭＣＳインデックス計算に使用されるその変調レベルは、データ・フレームＭＣＳのストリームに亘って最低の変調レベルになるであろう。そのデータ・フレームのストリームによって使用されるその最低の変調レベルは、１６−ＱＡＭである。
【００３７】
リファレンスＭＣＳインデックスは、１６−ＱＡＭ変調および１／２の符号化率を使用することにより決定される。表２によれば、ＭＣＳインデックス１１は、１６−ＱＡＭ変調および１／２の符号化率を有する。その後、１１のリファレンスＭＣＳインデックスは、それが基本ＭＣＳセットにあるかどうかを確かめるためにチェックされる。この場合、リファレンスＭＣＳインデックスは、基本ＭＣＳインデックスと一致する。したがって、基本ＭＣＳインデックス１１は、制御応答フレームのために、Ｎｓｓ＝２、１６−ＱＡＭ変調、１／２の符号化率、および５２．０Ｍｂ／ｓのデータ速度が使用される。
【００３８】
特に断りがない限り、処理する、演算する、決定する、表示する、あるいは同種の用語は、１またはそれ以上のプロセシングあるいはコンピューティング・システム、または同種の装置の動作および／または処理に関連し、それらは、処理システムのレジスタまたはメモリ内の物理（例えば、電子）量として表わされるデータを処理システムのレジスタまたはメモリ、あるいは他の情報ストレージ、伝送、または表示装置内の物理量として同様に表わされる他のデータに操作し、変換する。さらに、ここに使用されるように、コンピューティング装置は、揮発性または不揮発性メモリ、あるいはそれらの組合せであるコンピュータ読取り可能なメモリに結合された１またはそれ以上の処理要素を含む。
【００３９】
本発明のいくつかの実施例は、ハードウェア、ファームウェア、およびソフトウェアの１またはそれ以上の組合せで実行される。また、本発明のいくつかの実施例は、機械読取り可能な媒体上に格納された命令として実行され、それはここに説明された動作を実行するための少なくとも１つのプロセッサによって読取られ、実行される。機械読取り可能な媒体は、機械（例えば、コンピュータ）によって読取り可能な形式で情報を格納するまたは送信することのできるあらゆる機構を含む。例えば、機械読取り可能な媒体は、リード・オンリ・メモリ（ＲＯＭ）、ランダム・アクセス・メモリ（ＲＡＭ）、磁気ディスク格納媒体、光格納媒体、フラッシュ・メモリ装置、電気的、光学的、音響的あるいは伝搬信号の他の形式（例えば、搬送波、赤外線信号、デジタル信号など）、および他の形式を含む。
【００４０】
要約は、技術的な開示の内容および要点を確認することができる要約を求める３７Ｃ．Ｆ．Ｒ．１．７２（ｂ）に準拠するために提供される。それは、特許請求の範囲を制限しあるいは解釈するために用いられないという理解の下で提出される。
【００４１】
前出の発明の詳細な説明では、様々な特徴がその開示を合理化する目的のために単一の実施例中に１つにまとめられる。この開示の方法は、本主題のクレームされた実施例が各クレームで明示的に列挙された特徴をより多くを要求する意図を反映しているものと解釈すべきではない。むしろ、以下のクレームが反映するものとして、本発明は、単一の実施例に示されたすべての特徴より少ない特徴であってもよい。したがって、以下のクレームは、発明の詳細な説明に組み入れられており、各クレームは個別の好適な実施例として独自に依拠している。
【図１】
2009544186.tif 000006
【図２】
2009544186.tif 000007
【図３】
2009544186.tif 000008
【図４】
2009544186.tif 000009
【国際調査報告】
2009544186.tif 000010
2009544186.tif 000011